(57)【要約】【課題】  映像ミュートの誤設定を防止することができ、併せてユーザーに対し映像ミュートが設定されているか否かを確実に認識させることができるようにする。【解決手段】  液晶ＴＶ１００のＴＶ本体側に設けたマイコンにより、リモコンの映像入／切ボタンが一度押されると、マイコンがその信号をリモコン受光部１０３を介して受け取り、液晶パネル１０１に映像ミュートモードを実行しても良いかどうかを確認させる内容をオンスクリーン表示させ、映像入／切ボタンが再度押されると、映像ミュートモードが実行されるようにする。【選択図】    図６
2005020725.tif 000002
【特許請求の範囲】
【請求項１】
映像ミュート機能を有するディスプレイ装置において、
ディスプレイ装置本体及び／又はリモコンに、映像ミュート機能を実行させるための操作の誤操作を防止する誤操作防止手段が設けられている
ことを特徴とするディスプレイ装置。
【請求項２】
映像ミュート機能を有するディスプレイ装置において、
前記映像ミュート機能はディスプレイ装置本体又はリモコンの操作によって実行され、
前記ディスプレイ装置本体又はリモコンによる映像ミュート機能実行操作において映像ミュート機能実行可能状態を報知する
ことを特徴とするディスプレイ装置。
【請求項３】
映像ミュート機能を有するディスプレイ装置において、
ディスプレイ装置本体及び／又はリモコンに映像ミュート機能を実行させるための映像ミュート機能実行手段を有し、
該映像ミュート機能実行手段による操作に伴い映像ミュート機能実行可能状態を報知する
ことを特徴とするディスプレイ装置。
【請求項４】
請求項１又は２に記載のディスプレイ装置において、
ディスプレイ装置本体及び／又はリモコンに、映像ミュート機能を実行する映像ミュート機能実行手段が設けられ、
前記映像ミュート機能実行手段による操作で、映像ミュート機能を選択した旨の報知を行い、次の操作で映像ミュート機能を実行する
ことを特徴とするディスプレイ装置。
【請求項５】
請求項３に記載のディスプレイ装置において、
前記映像ミュート機能実行手段による操作で、映像ミュート機能を選択した旨の報知を行い、次の操作で映像ミュート機能を実行する
ことを特徴とするディスプレイ装置。
【請求項６】
請求項４又は５に記載のディスプレイ装置において、
映像ミュート機能を選択した旨の報知を行ってから所定の時間内に次の操作が無い場合には映像ミュート機能実行を無効にする
ことを特徴とするディスプレイ装置。
【請求項７】
請求項４又は５に記載のディスプレイ装置において、
映像ミュート機能を選択した旨の報知を行ってから所定の時間内に次の操作が行われた場合には映像ミュート機能実行を無効にする
ことを特徴とするディスプレイ装置。
【請求項８】
請求項１又は２に記載のディスプレイ装置において、
ディスプレイ装置本体及び／又はリモコンに、映像ミュート機能を実行する映像ミュート機能実行手段が設けられ、
前記映像ミュート機能実行手段の押圧で前記映像ミュート機能を選択した旨の報知を行い、
該報知が終了した後に押圧を解除することで前記映像ミュート機能を実行する
ことを特徴とするディスプレイ装置。
【請求項９】
請求項３に記載のディスプレイ装置において、
前記映像ミュート機能実行手段の押圧で前記映像ミュート機能を選択した旨の報知を行い、
該報知が終了した後に押圧を解除することで前記映像ミュート機能を実行する
ことを特徴とするディスプレイ装置。
【請求項１０】
映像ミュート機能を有するディスプレイ装置において、
ディスプレイ装置本体及び／又はリモコンに映像ミュート機能を実行するための映像ミュート機能実行手段と、外部入力手段と、外部入力検出手段とを有し、
外部入力が無い場合に映像ミュート機能を実行する
ことを特徴とするディスプレイ装置。
【請求項１１】
映像ミュート機能を有するディスプレイ装置において、
ディスプレイ装置本体及び／又はリモコンに映像ミュート機能を実行するための映像ミュート機能実行手段と、外部入力手段と、外部入力検出手段とを有し、
外部入力が音声入力の場合に映像ミュート機能を実行する
ことを特徴とするディスプレイ装置。
【請求項１２】
映像ミュート機能を有するディスプレイ装置において、
ディスプレイ装置本体及び／又はリモコンに映像ミュート機能を実行するための映像ミュート機能実行手段と、外部入力手段と、外部入力検出手段とを有し、
外部入力が無い場合、又は外部入力が音声入力の場合に映像ミュート機能を選択した旨の報知を行い、映像ミュート機能実行手段の操作で映像ミュート機能を実行する
ことを特徴とするディスプレイ装置。
【請求項１３】
請求項１２に記載のディスプレイ装置において、
映像ミュート機能を選択した旨の報知を行ってから所定の時間内に次の操作が無い場合には映像ミュート機能実行を無効にする
ことを特徴とするディスプレイ装置。
【請求項１４】
請求項１２に記載のディスプレイ装置において、
映像ミュート機能を選択した旨の報知を行ってから所定の時間内に次の操作が行われた場合には映像ミュート機能実行を無効にする
ことを特徴とするディスプレイ装置。
【請求項１５】
請求項１乃至１４のいずれかに記載のディスプレイ装置において、
ディスプレイ装置本体及び／又はリモコンには映像に関わる操作手段が設けられ、
前記映像ミュート機能の実行中に、映像に関わる操作手段が操作されると、前記映像ミュート機能を解除する
ことを特徴とするディスプレイ装置。
【請求項１６】
請求項１乃至１５のいずれかに記載のディスプレイ装置において、
ディスプレイ装置本体及び／又はリモコンには音声に関わる操作手段が設けられ、
映像ミュート機能の実行中に、音声に関わる操作手段が操作されると、音声制御の状態を報知する
ことを特徴とするディスプレイ装置。
【請求項１７】
請求項１６に記載のディスプレイ装置において、
音声制御の状態を報知した後、前記音声に関わる操作手段の操作が所定時間行われない場合に前記映像ミュート機能に戻る
ことを特徴とするディスプレイ装置。
【請求項１８】
映像ミュート機能を有するディスプレイ装置において、
ディスプレイ装置本体及び／又はリモコンは少なくとも映像ミュートを実行させるための映像ミュート機能実行手段と、電源オンオフ手段と、映像を制御する手段と、音声を制御する手段とを有し、
映像ミュート機能の実行中に、映像を制御する手段が操作されると、前記映像ミュート機能を解除する
ことを特徴とするディスプレイ装置。
【請求項１９】
映像ミュート機能を有するディスプレイ装置において、
ディスプレイ装置本体及び／又はリモコンは少なくとも映像ミュート機能を実行させるための映像ミュート機能実行手段と、電源オンオフ手段と、映像を制御する手段と、音声を制御する手段とを有し、
映像ミュート機能の実行中に、音声を制御する手段が操作されると、音声制御の状態を報知する
ことを特徴とするディスプレイ装置。
【請求項２０】
請求項１９に記載のディスプレイ装置において、
音声制御の状態を報知した後、前記音声に関わる操作手段の操作が所定時間行われない場合に前記映像ミュート機能に戻る
ことを特徴とするディスプレイ装置。
【請求項２１】
請求項１乃至２０のいずれかに記載のディスプレイ装置において、
映像ミュート機能の実行中においては、音声入力部、音声処理部、音声制御部及び音声出力部以外の回路への電力供給を停止する
ことを特徴とするディスプレイ装置。
【請求項２２】
請求項１乃至２１のいずれかに記載のディスプレイ装置において、
ディスプレイ装置本体には映像信号に応じた駆動電圧制御により視認可能となる表示素子が設けられ、
前記映像ミュート機能の実行中は前記表示素子が視認不可能に制御される
ことを特徴とするディスプレイ装置。
【請求項２３】
請求項２２に記載のディスプレイ装置において、
ディスプレイ装置本体にはバックライトの光で表示を行う液晶パネルが設けられ、
前記映像ミュート機能の実行中、前記バックライトを消灯させる
ことを特徴とするディスプレイ装置。
【請求項２４】
請求項２乃至９、又は請求項１２乃至１４、又は１６、１７、１９、２０のいずれかに記載のディスプレイ装置において、
前記報知は、オンスクリーン表示、信号音、音声、振動のいずれか又はいずれかの組み合わせにより行われる
ことを特徴とするディスプレイ装置。
【発明の詳細な説明】
【技術分野】
【０００１】
本発明は、映像表示を停止して音声の出力のみを行わせる映像ミュート機能を有したディスプレイ装置に関する。
【背景技術】
【０００２】
ディスプレイ装置は、基本的に映像及び音声の各信号を受信すると、映像を液晶パネルやプラズマディスプレイパネルやブラウン管等に表示し、音声をスピーカーから出力する機能を有する。一方、今日では、ＢＳ放送又はＣＡＴＶ放送等においてディジタル音声システムが採用され、クリアーな音声を楽しむことができるようになっており、音声のみを楽しむために映像ミュート付きのディスプレイ装置が商品化され、さらに特許文献１や特許文献２のように省電力化や使い勝手の向上に対する提案も行われている。
【０００３】
特許文献１においては、チューナー回路、映像及び音声の中間周波回路、音声出力回路と、水平出力・フライバックトランス回路とにそれぞれ独立した電源電圧を供給するスイッチング電源と、上記水平出力回路の出力電圧を電源として動作するとともに、上記水平出力・フライバックトランス回路に水平ドライブ信号を出力する映像、クロマ偏向用ＩＣと、上記水平出力・フライバックトランス回路のフライバックパルスを整流し、この整流出力を動作レベル設定用のツェナダィオードを介して上記映像、クロマ偏向用ＩＣのＸ線保護回路用端子に入力するＸ線保護回路とを備え、該Ｘ線保護回路にダイオードを介して接続した映像ミューティング回路からの映像ミュート信号に基づき、上記映像、クロマ偏向用ＩＣからの水平ドライブ信号の出力停止させることで、テレビジョンを音声出力にのみ利用する場合の消費電力を大幅に節約可能にすることを提案している。
【０００４】
また、特許文献２においては、ディスプレイ装置において、イヤホン端子にイヤホンを接続するだけで映像ミュートが掛かり、音声のみを楽しむことができるという提案であり、接続検出端子を備えた音声出力が１系統のイヤホンに外部のイヤホンが接続された場合、マイコンが接続されたことを検出し、事前に設定してあるイヤホンが接続された場合、映像ミュートを掛けるか掛けないかのユーザーの選択によって、映像ミュートの信号を映像処理回路に送り、映像処理回路はその信号を元に映像表示装置に映像ミュートを掛けることにより、ユーザーはイヤホンをイヤホン端子に接続するだけで、映像を消して周囲に迷惑を掛けずに音声のみを楽しむことができるということを提案している。
【０００５】
【特許文献１】特開平５−２６０４０１号公報
【特許文献２】特開平９−１８１９９２号公報
【発明の開示】
【発明が解決しようとする課題】
【０００６】
ところが、引用文献１，２は、いずれも映像ミュートが一旦設定されてしまうと、次回からはユーザーの確認なしに、ダイレクトに映像ミュートが掛けられてしまうため、ユーザーに故障したのではないか等という不安感を与えてしまうおそれがある。つまり、ユーザーの誤操作によっても映像ミュートが設定されてしまうことがあり、この場合には映像ミュートが掛かっているのかどうかを即座に判断することが不可能であるばかりか、特に操作に不慣れな者にとっては故障したと思い込むことがあるものと容易に予測される。このような不具合を解消するためには、映像ミュートが設定される際に、再確認操作等を行わせることで、映像ミュートの誤設定が防止されるばかりか、ユーザーに対し映像ミュートが設定されているか否かを確実に認識させることができるものと考えられる。
【０００７】
解決しようとする問題点は、映像ミュートが一旦設定されてしまうと、次回からはユーザーの確認なしに、ダイレクトに映像ミュートが掛けられてしまうため、映像ミュートが掛かっているのかどうかを即座に判断することが不可能となり、しかも操作に不慣れなユーザーに対し故障したと思い込ませてしまうおそれがあるという点である。
【課題を解決するための手段】
【０００８】
本発明のディスプレイ装置は、映像ミュート機能を有するディスプレイ装置において、ディスプレイ装置本体及び／又はリモコンに、映像ミュート機能を実行させるための操作の誤操作を防止する誤操作防止手段が設けられていることを特徴とする。
これにより、ディスプレイ装置本体及び／又はリモコンに設けた誤操作防止手段によって映像ミュート機能を実行させるための操作の誤操作を防止することができる。
本発明のディスプレイ装置は、映像ミュート機能を有するディスプレイ装置において、前記映像ミュート機能はディスプレイ装置本体又はリモコンの操作によって実行され、前記ディスプレイ装置本体又はリモコンによる映像ミュート機能実行操作において映像ミュート機能実行可能状態を報知することを特徴とする。
これにより、映像ミュート機能が実行されるまでの間に報知期間が設けられることで、映像ミュート機能が実行されることを確認させることができる。この場合、ディスプレイ装置本体又はリモコンに映像ミュート機能実行操作を直接選択するに関わるボタンなどが無いとき、メニュー項目による選択によって映像ミュート機能実行可能状態を報知することも可能である。
本発明のディスプレイ装置は、映像ミュート機能を有するディスプレイ装置において、ディスプレイ装置本体及び／又はリモコンに映像ミュート機能を実行させるための映像ミュート機能実行手段を有し、該映像ミュート機能実行手段による操作に伴い映像ミュート機能実行可能状態を報知することを特徴とする。
これにより、ディスプレイ装置本体及び／又はリモコンに設けた映像ミュート機能実行手段により、映像ミュート機能をダイレクトに選択実行させることが可能となる。
また、ディスプレイ装置本体及び／又はリモコンに、映像ミュート機能を実行する映像ミュート機能実行手段が設けられ、前記映像ミュート機能実行手段による操作で、映像ミュート機能を選択した旨の報知を行い、次の操作で映像ミュート機能を実行するようにすることができる。
これにより、たとえば２回の操作で映像ミュート機能を実行させることができる。
また、前記映像ミュート機能実行手段による操作で、映像ミュート機能を選択した旨の報知を行い、次の操作で映像ミュート機能を実行するようにすることができる。
また、映像ミュート機能を選択した旨の報知を行ってから所定の時間内に次の操作が無い場合には映像ミュート機能実行を無効にするようにすることができる。
これにより、映像ミュート機能を選択した旨の報知が行われた後でも、所定時間内に次の操作を行わないことで、映像ミュート機能の実行を中止とすることができる。
また、映像ミュート機能を選択した旨の報知を行ってから所定の時間内に次の操作が行われた場合には映像ミュート機能実行を無効にするようにすることができる。
これにより、映像ミュート機能を選択した旨の報知が行われた後でも、所定の時間内に次の操作を行うことで、映像ミュート機能実行を中止することができる。
また、ディスプレイ装置本体及び／又はリモコンに、映像ミュート機能を実行する映像ミュート機能実行手段が設けられ、前記映像ミュート機能実行手段の押圧で前記映像ミュート機能を選択した旨の報知を行い、該報知が終了した後に押圧を解除することで前記映像ミュート機能を実行するようにすることができる。
これにより、映像ミュート機能実行手段を押圧し、映像ミュート機能を選択した旨の報知が行われてユーザーがその旨を確認した後にその押圧を解放することで、映像ミュート機能を実行させることができる。また、映像ミュート機能を選択した旨の報知が行われている最中に押圧を解除することで、映像ミュート機能実行を中止することができる。
また、逆の手順として、映像ミュート機能を選択した旨の報知が行われている最中に押圧を解除することで映像ミュート機能を実行し、報知終了後に押圧を解除することで映像ミュート機能実行を中止することも考えられる方法である。
本発明のディスプレイ装置は、映像ミュート機能を有するディスプレイ装置において、ディスプレイ装置本体及び／又はリモコンに映像ミュート機能を実行するための映像ミュート機能実行手段と、外部入力手段と、外部入力検出手段とを有し、外部入力が無い場合に映像ミュート機能を実行することを特徴とする。
これにより、ディスプレイ装置本体及び／又はリモコンにより外部入力を選択したとき、外部入力端子からの入力が無い場合に映像ミュート機能が実行され、ユーザーに対して無信号状態や不要な映像の視聴を回避させるとともに、映像ミュートに関連してディスプレイ装置駆動を制御することで、省電力化などが可能となる。
本発明のディスプレイ装置は、映像ミュート機能を有するディスプレイ装置において、ディスプレイ装置本体及び／又はリモコンに映像ミュート機能を実行するための映像ミュート機能実行手段と、外部入力手段と、外部入力検出手段とを有し、外部入力が音声入力の場合に映像ミュート機能を実行することを特徴とする。
これにより、ディスプレイ装置本体及び／又はリモコンにより外部入力を選択したとき、外部入力端子からの入力が音声入力の場合に映像ミュート機能が実行され、音場効果の向上とともに、映像ミュートに関連してディスプレイ装置駆動を制御することで、省電力化などが可能となる。
本発明のディスプレイ装置は、映像ミュート機能を有するディスプレイ装置において、ディスプレイ装置本体及び／又はリモコンに映像ミュート機能を実行するための映像ミュート機能実行手段と、外部入力手段と、外部入力検出手段とを有し、外部入力が無い場合、又は外部入力が音声入力の場合に映像ミュート機能を選択した旨の報知を行い、映像ミュート機能実行手段の操作で映像ミュート機能を実行することを特徴とする。
これにより、ディスプレイ装置本体及び／又はリモコンにより外部入力を選択したとき、外部入力端子からの入力が無い場合又は外部入力端子からの入力が音声入力の場合においても、映像ミュート機能を選択した旨の報知が行われた後に映像ミュート機能が実行されることで、ユーザーの確認のもとで映像ミュート機能が実行されることになる。
また、映像ミュート機能を選択した旨の報知を行ってから所定の時間内に次の操作が無い場合には映像ミュート機能実行を無効にするようにすることができる。
これにより、映像ミュート機能を選択した旨の報知が行われた後でも、所定時間内に次の操作を行わないことで、映像ミュート機能の実行を中止とすることができる。
また、映像ミュート機能を選択した旨の報知を行ってから所定の時間内に次の操作が行われた場合には映像ミュート機能実行を無効にするようにすることができる。
これにより、映像ミュート機能を選択した旨の報知が行われた後でも、所定の時間内に次の操作を行うことで、映像ミュート機能実行を中止することができる。
また、ディスプレイ装置本体及び／又はリモコンには映像に関わる操作手段が設けられ、前記映像ミュート機能の実行中に、映像に関わる操作手段が操作されると、前記映像ミュート機能を解除することができる。
これにより、映像に関わる操作手段が操作されると、ダイレクトに映像ミュート機能を解除することができる。
また、ディスプレイ装置本体及び／又はリモコンには音声に関わる操作手段が設けられ、映像ミュート機能の実行中に、音声に関わる操作手段が操作されると、音声制御の状態を報知するようにすることができる。
これにより、映像ミュート機能の実行中であっても、音声制御が可能であり、またその制御の状態を確認することができる。
また、音声制御の状態を報知した後、前記音声に関わる操作手段の操作が所定時間行われない場合に前記映像ミュート機能に戻るようにすることができる。
これにより、音声制御の状態が報知されている所定の間に音声に関わる操作手段の操作が無い場合は、映像ミュート機能に戻ることができる。
本発明のディスプレイ装置は、映像ミュート機能を有するディスプレイ装置において、ディスプレイ装置本体及び／又はリモコンは少なくとも映像ミュートを実行させるための映像ミュート機能実行手段と、電源オンオフ手段と、映像を制御する手段と、音声を制御する手段とを有し、映像ミュート機能の実行中に、映像を制御する手段が操作されると、前記映像ミュート機能を解除することを特徴とする。
これにより、映像に関わる操作手段が操作されると、ダイレクトに映像ミュート機能を解除することができる。
本発明のディスプレイ装置は、  映像ミュート機能を有するディスプレイ装置において、ディスプレイ装置本体及び／又はリモコンは少なくとも映像ミュート機能を実行させるための映像ミュート機能実行手段と、電源オンオフ手段と、映像を制御する手段と、音声を制御する手段とを有し、映像ミュート機能の実行中に、音声を制御する手段が操作されると、音声制御の状態を報知することを特徴とする。
これにより、映像ミュート機能の実行中であっても、音声制御が可能であり、またその制御の状態を確認することができる。
また、音声制御の状態を報知した後、前記音声に関わる操作手段の操作が所定時間行われない場合に前記映像ミュート機能に戻るようにすることができる。
これにより、映像ミュート機能実行中に音声制御が必要になり、その制御が終了した場合のように、音声制御の状態が報知されている所定の間に音声に関わる操作手段の操作が無い場合は、映像ミュート機能に戻ることになる。
また、映像ミュート機能の実行中においては、音声入力部、音声処理部、音声制御部及び音声出力部以外の回路への電力供給を停止するようにすることができる。
これにより、映像ミュート機能の実行中においては、音声関連回路以外への電源供給を停止することができ、省電力化が可能となる。
また、ディスプレイ装置本体には映像信号に応じた駆動電圧制御により視認可能となる表示素子が設けられ、前記映像ミュート機能の実行中は前記表示素子が視認不可能に制御されるようにすることができる。
これにより、液晶表示器（ＬＣＤ）、発光ダイオード（ＬＥＤ）、蛍光表示管（ＶＦＤ）、プラズマディスプレイ（ＰＤＰ）、エレクトロルミネッセンス（ＥＬ）等のディスプレイ装置であっても、映像信号に応じた駆動電圧制御により、映像ミュート機能実行中は表示機能を中止させることで、音場効果の向上とともに省電力化が可能となる。
また、ディスプレイ装置本体にはバックライトの光で表示を行う液晶パネルが設けられ、前記映像ミュート機能の実行中、前記バックライトを消灯させるようにすることができる。
これにより、バックライトの消灯により、音場効果の向上とともに省電力化が可能となる。
また、前記報知は、オンスクリーン表示、信号音、音声、振動のいずれか又はいずれかの組み合わせにより行われるようにすることができる。
これにより、オンスクリーン表示による視覚確認、信号音や音声による聴覚確認、振動による体感確認のいずれか又はいずれかの組み合わせにより確認することができる。
【発明の効果】
【０００９】
本発明に係るディスプレイ装置によれば、音楽を聴くときに映像ミュートを行うことで、音場効果の向上を図りながら、省電力かが可能となり、映像ミュートモード実行に際しては実行前にユーザーに報知することで、映像ミュートモードを実行させるための映像ミュートの設定操作の誤操作を防止することができるばかりか、ユーザーに対し映像ミュートが設定されているか否かを確実に認識させることができる。また、報知手段として各種方法をとることで、視覚確認や聴覚確認や体感確認、又はいずれかの組み合わせにより確認することができる。
【発明を実施するための最良の形態】
【００１０】
本実施形態では、ディスプレイ装置本体又はリモコンの操作によって映像ミュート機能が設定され、ディスプレイ装置本体又はリモコンによる映像ミュートモードの設定操作が行われると、映像ミュート機能設定可能状態が報知されるようにし、映像ミュートの誤設定を防止するとともに、ユーザーに対し映像ミュートが設定されているか否かを確実に認識させるようにした。
【００１１】
以下、本発明の実施の形態について説明する。
図１は、本発明のディスプレイ装置の一実施の形態に適用される液晶ＴＶを示す斜視図、図２は、図１の液晶ＴＶを操作するリモコンを示す正面図、図３は、図１の液晶ＴＶのＴＶ本体の内部構成の概要を示すブロック図、図４〜図８は、図２のリモコンによって操作される図１の液晶ＴＶの動作を説明するための図である。なお、以下の説明においての機能及びモードの用語は、ほぼ同じ内容を意味するものとし、説明に応じて適宜使い分けするものとする。
【００１２】
図１に示す液晶ＴＶ１００は、液晶パネル１０１、明るさセンサ１０２、リモコン受光部１０３、電源ランプ１０４、オンタイマーランプ１０５、ヘッドホン端子１０６、スピーカー１０７、バスレフポート１０８を備えている。
【００１３】
液晶パネル１０１は、映像を表示する。明るさセンサ１０２は、液晶パネル１０１の明るさを適切に保つために、周囲の明るさを検知する。リモコン受光部１０３は、後述のリモコン２００からの信号を受光する。電源ランプ１０４は、図示しないメイン電源が投入されると、点灯する。オンタイマーランプ１０５は、オンタイマーが設定されると点灯する。ヘッドホン端子１０６には、後述のヘッドホン１０９側の端子を装着することができる。スピーカー１０７は、音声を出力する。バスレフポート１０８は、スピーカー１０７の背面側からの音声を出力する。
【００１４】
図２に示すリモコン２００は、電源ボタン２０１、映像反転ボタン２０２、バーチャルボタン２０３、映像入／切ボタン２０４、オフタイマー２０５、オンタイマー２０６、画面表示ボタン２０７、映像ポジションボタン２０８、明るさセンサボタン２０９、カーソルボタン２１０、決定ボタン２１１、戻るボタン２１２、メニューボタン２１３、消音ボタン２１４、音声切換ボタン２１５、ＣＡＴＶボタン２１６、入力切換ボタン２１７、音量ボタン２１８、選局ボタン２１９、前画面ボタン２２０、ダイレクト選局ボタン２２１、ＢＳチャンネルボタン２２２を備えている。
【００１５】
電源オンオフ手段としての電源ボタン２０１は、液晶ＴＶ１００の電源を入／切する。映像反転ボタン２０２は、映像を反転させる。バーチャルボタン２０３は、バーチャルサラウンド効果を入／切する。映像ミュート機能実行手段としての映像入／切ボタン２０４は、映像ミュート設定操作を行うものであり、映像表示を入／切する。なお、この映像ミュート機能実行手段は、液晶ＴＶ１００のＴＶ本体側にあっても良いことは勿論である。オフタイマー２０５は、液晶ＴＶ１００の電源を指定時間後に切る。オンタイマー２０６は、液晶ＴＶ１００の電源を指定時間後に入れる。画面表示ボタン２０７は、見ているチャンネルを確かめる。
【００１６】
映像ポジションボタン２０８は、好みの画質、音質を選ぶ。明るさセンサボタン２０９は、画面の明るさを切り換える。カーソルボタン２１０は、メニューや指定項目を選ぶ。決定ボタン２１１は、カーソルボタン２１０で選んだメニューや指定項目を決定する。戻るボタン２１２は、１つ前の画面に戻る。メニューボタン２１３は、メニュー画面を表示する。
【００１７】
消音ボタン２１４は、音を一時的に消す。音声切換ボタン２１５は、音声モードを切り換える。ＣＡＴＶボタン２１６は、ＣＡＴＶチャンネルを選ぶ。入力切換ボタン２１７は、ビデオ入力を切り換える。音量ボタン２１８は、音量を調整する。選局ボタン２１９は、チャンネルを選ぶ。前画面ボタン２２０は、今見ている前のチャンネル、又は入力に切り換える。ダイレクト選局ボタン２２１は、見たいチャンネルを選ぶ。ＢＳチャンネルボタン２２２は、ＢＳチャンネルを選ぶ。
【００１８】
次に、図１の液晶ＴＶ１００のＴＶ本体の内部構成の概要を、図３により説明する。
液晶ＴＶ１００は、ＢＳアンテナ１１０又はＵ／Ｖアンテナ１１１からの信号をチューニングするチューナー回路１２０を備えている。チューナー回路１２０によってチューニングされたＢＳアンテナ１１０又はＵ／Ｖアンテナ１１１からの映像信号は、入力切換回路１２６に出力される。入力切換回路１２６には、外部入力手段としての他の入力回路１１２からの音声及び映像信号も出力される。
【００１９】
チューナー回路１２０によってチューニングされたＢＳアンテナ１１０からの音声信号は、音声アンプ１２１及び入力切換回路１２６を介して音声多重回路１２３に出力される。チューナー回路１２０によってチューニングされたＵ／Ｖアンテナ１１１からの音声信号は、音声多重回路１２３に出力される。音声多重回路１２３からの左右の音声信号は、１ｂｉｔアンプ１２４を介してスピーカー１０７に出力される。ヘッドホン１０９が接続されている場合、音声多重回路１２３からの左右の音声信号は、ヘッドホンアンプ１２５を介してヘッドホン１０９に出力される。
【００２０】
一方、入力切換回路１２６からの映像信号は、ＧＲ回路１２７、３ＤＹ／Ｃ回路１２８、Ｙ／Ｃ切換回路１２９を介してＶＰＣ回路１３０に出力される。ＶＰＣ回路１３０からは、ＩＴＵ形式の映像データと同期信号とがビデオプロセッサ１３１に出力される。ビデオプロセッサ１３１からは、ＲＧＢ信号がＱＳ内蔵コントローラ１３２に出力される。ＱＳ内蔵コントローラ１３２は、ＳＤＲＡＭ１３３の動作手順に基づき、液晶パネル１０１の表示動作をコントロールする。
【００２１】
誤操作防止手段としてのマイコン１３４には、本体キー１１３、リモコン受光部１０３が接続されている。マイコン１３４は、本体キー１１３又はリモコン受光部１０３によって受け取った信号に基づき、ＶＰＣ回路１３０、ビデオプロセッサ１３１に制御信号を出力したり、ＱＳ内蔵コントローラ１３２にＯＳＤ信号を出力したりする。
【００２２】
ここで、ＯＳＤ信号は、液晶パネル１０１に映像とは別の内容をオーバーラップ表示させるための信号である。また、マイコン１３４は、上記の外部入力手段としての他の入力回路１１２からの音声及び映像信号の入力を検出する外部入力検出手段を有している。ここで、音声はたとえば音声信号のレベル検出により検出され、映像信号はたとえば同期信号の有無により検出される。
【００２３】
インバータドライブトランジスタ１３５は、ビデオプロセッサ１３１からの制御信号を受けて動作し、１２Ｖ電源１３７によって駆動するＤＣ／ＡＣコモン回路１３６を介してバックライト１３８の点灯や消灯や調光を行う。バックライト１３８の動作は、故障検出回路１３９によって検出され、その検出結果はマイコン１３４に出力される。
【００２４】
次に、映像ミュートに関わる動作について説明する。
なお、以下の説明においては、リモコン２００からの信号を受けて映像ミュートに関わる動作が行われるものとする。
【００２５】
まず、図４に示すように、リモコン２００の映像入／切ボタン２０４が押されると（ステップＳ１）、マイコン１３４がその信号をリモコン受光部１０３を介して受け取る。マイコン１３４は、映像ミュートモードを実行するに際し、確認のためのＯＳＤ信号をＱＳ内蔵コントローラ１３２に出力する（ステップＳ２）。このとき、ＱＳ内蔵コントローラ１３２により、液晶パネル１０１には、たとえば図６に示すように、「映像（切）にするには、もう一度映像入／切ボタンを押して下さい。」とした内容がオンスクリーン表示によって報知される（ステップＳ３）。このオンスクリーン表示される内容は、映像ミュート機能設定可能状態を示すものである。
【００２６】
次いで、リモコン２００の映像入／切ボタン２０４が再度押されると（ステップＳ４）、マイコン１３４がその信号をリモコン受光部１０３を介して受け取る。マイコン１３４は、映像入／切ボタン２０４が二度操作されたことを認識すると、映像信号をミュートしてバックライト１３８を消灯させるために、ビデオプロセッサ１３１に制御信号を出力する（ステップＳ５）。
【００２７】
このとき、ビデオプロセッサ１３１は、映像信号をミュートすると共にインバータドライブトランジスタ１３５にバックライト消灯信号を出力する。インバータドライブトランジスタ１３５は、バックライトオフ信号を受け取ると、ＤＣ／ＡＣコモン回路１３６の動作をミュートさせる。これにより、バックライト１３８が一時的に消灯することで（ステップＳ６）、映像ミュートモードとなる（ステップＳ７）。
【００２８】
ここで、映像ミュートモード中に、音量を調整するために、リモコン２００の音量ボタン２１８が押されると（ステップＳ８）、その信号がリモコン受光部１０３によって受光され、さらにマイコン１３４によって認識される。マイコン１３４は、音量調整のためのＯＳＤ信号をＱＳ内蔵コントローラ１３２に出力する。このとき、ＱＳ内蔵コントローラ１３２により、液晶パネル１０１には、たとえば図７に示すように、音量バーがオンスクリーン表示される（ステップＳ９）。
【００２９】
音量バーがオンスクリーン表示されるとき、マイコン１３４からビデオプロセッサ１３１に、バックライト１３８を所定時間点灯させるための制御信号が出力される。これにより、ビデオプロセッサ１３１からインバータドライブトランジスタ１３５にバックライト点灯信号が出力される。インバータドライブトランジスタ１３５は、バックライト点灯信号を受け取ると、ＤＣ／ＡＣコモン回路１３６を動作させることで、バックライト１３８が点灯する。
【００３０】
そして、マイコン１３４は、リモコン２００の音量ボタン２１８の操作による信号が所定時間経過しても受光されないと確認すると、上記同様に、バックライト１３８を消灯させるために、ビデオプロセッサ１３１に制御信号を出力する。これにより、映像ミュートモードに戻る（ステップＳ１０）。
【００３１】
また、映像ミュートモード中に、リモコン２００の消音ボタン２１４が押されると（ステップＳ１１）、その信号が上記同様に、マイコン１３４によって認識される。マイコン１３４は、消音のためのＯＳＤ信号をＱＳ内蔵コントローラ１３２に出力する。このとき、ＱＳ内蔵コントローラ１３２により、液晶パネル１０１には、たとえば図８に示すように、消音モードの実行中を示す内容がオンスクリーン表示される（ステップＳ１２）。
【００３２】
消音モードの実行中を示す内容がオンスクリーン表示される場合、上記同様に、マイコン１３４からビデオプロセッサ１３１に、バックライト１３８を所定時間点灯させるための制御信号が出力されることで、バックライト１３８が所定時間点灯し、その後、上記同様に、バックライト１３８が消灯して映像ミュートモードに戻る。このとき、消音モードのため、スピーカー１０７からの音声出力が行われないが、再度、リモコン２００の消音ボタン２１４が押されると、上記同様の手順により、液晶パネル１０１に消音解除が一旦表示された後、映像ミュートモードに戻る（ステップＳ１３）。
【００３３】
さらに、映像ミュートモード中に、リモコン２００のたとえばバーチャルボタン２０３が押されると（ステップＳ１４）、上記同様に、一旦、バックライト１３８が点灯し、液晶パネル１０１にバーチャルサラウンド効果を入／切する内容がオンスクリーン表示され（ステップＳ１５）、所定時間経過後に、バックライト１３８が消灯して映像ミュートモードに戻る（ステップＳ１６）。
【００３４】
さらに、図５に示すように、映像ミュートモード中に、リモコン２００のたとえば音声切換ボタン２１５が押されると（ステップＳ１７）、上記同様に、一旦、バックライト１３８が点灯し、液晶パネル１０１に二重音声やステレオオン/オフを選択するための内容がオンスクリーン表示され（ステップＳ１８）、所定時間経過後に、バックライト１３８が消灯して映像ミュートモードに戻る（ステップＳ１９）。
【００３５】
また、映像ミュートモード中に、映像入／切ボタン２０４又はリモコン２００の映像選局や映像調整や映像タイマーなどの映像に関わるたとえばＣＡＴＶボタン２１６、入力切換ボタン２１７、選局ボタン２１９、ダイレクト選局ボタン２２１、ＢＳチャンネルボタン２２２、オフタイマー２０５又はオンタイマー２０６、メニューボタン２１３等が押された場合には（ステップＳ２０）、マイコン１３４が映像ミュートモードを解除し（ステップＳ２１）、通常の表示モードに移行する（ステップＳ２２）。
【００３６】
このように、本実施形態では、液晶ＴＶ１００のＴＶ本体側に設けたマイコン１３４により、リモコン２００の映像入／切ボタン２０４が一度押されると、マイコン１３４がその信号をリモコン受光部１０３を介して受け取り、液晶パネル１０１に映像ミュートモードを実行しても良いかどうかを確認させる内容をオンスクリーン表示によって報知させ、映像入／切ボタン２０４が再度押されると、映像ミュートモードを実行するようにしたので、映像ミュートモードの設定は二度押しが必要とされることから、映像ミュートの誤設定を防止することができるばかりか、ユーザーに対し映像ミュートが設定されているか否かを確実に認識させることができる。
【００３７】
また、映像ミュートモード中は、バックライト１３８が消灯され、さらに映像ミュートモード中に、音量を調整するために、リモコン２００の音量ボタン２１８が押されると、図７のように、音量バーがオンスクリーン表示され、所定時間経過後、バックライト１３８が消灯されるため、消費電力の低減を図ることができ、併せて環境に良いといった効果がある。
【００３８】
このことは、映像ミュートモード中に、リモコン２００の消音ボタン２１４が押されたり、リモコン２００のバーチャルボタン２０３が押されたり、リモコン２００の音声切換ボタン２１５が押されたり、という音声に関連する操作のみを有効にすることで、ユーザーにとっても使用性の良い機能提供となっている。
【００３９】
また、本実施形態では、本発明を液晶ＴＶ１００に適用しているので、ＣＲＴに比べ、待機電流が無くてもすぐに立ち上げられるので、映像ミュート機能の効果を有効に発揮しつつ、視聴者の不満を招くことも無いといった効果がある。
【００４０】
また、本実施形態では、本発明を液晶ＴＶ１００に適用しているので、液晶ＴＶ１００の消費電力の６０％程度が消費されるバックライト１３８を最低限の必要時以外は消灯させることができ、大幅な節電効果が期待できる。なお、発光ダイオード（ＬＥＤ）、蛍光表示管（ＶＦＤ）、プラズマディスプレイ（ＰＤＰ）、エレクトロルミネッセンス（ＥＬ）等のディスプレイ装置であっても、映像信号に応じた駆動電圧制御により、映像ミュート機能実行中は表示機能を中止させることで、音のみに集中でき、音場効果の向上とともに省電力化が可能となる。
【００４１】
なお、映像ミュート時には音声の入力、処理及び出力に関わる手段のみが動作するように制御することも可能で、これにより更なる節電効果とともに、僅かなりとも発生する音声回路へのノイズ削減が可能となり、音楽のみを聞く場合にはよりクリアーな音が楽しめる。このことは、液晶ＴＶ１００の音声データを１ビットオーディオによって再生したとき、より明確に現れる。
【００４２】
また、本実施形態では、映像ミュートモード中は、液晶パネル１０１の映像表示が消されるため、液晶ＴＶ１００を携帯視聴する場合などの斜視時の低品位画面の弱点を解消することができる。
【００４３】
なお、本実施形態では、リモコン２００の映像入／切ボタン２０４が二度押されることで、映像ミュートモードが設定される場合について説明したが、これに限らず、リモコン２００の映像入／切ボタン２０４を押し続け、液晶パネル１０１にオンスクリーン表示された映像ミュートモードを実行しても良いかどうかの内容が消えた後、映像入／切ボタン２０４の操作を止めることで、映像ミュートモードが設定されるようにしても良い。これにより、映像ミュート機能実行手段を押圧し、映像ミュート機能を選択した旨の報知が行われてユーザーがその旨を確認した後にその押圧を解放することで、映像ミュート機能を実行させることができる。
【００４４】
また、映像ミュート機能を選択した旨の報知が行われている最中に押圧を解除することで、映像ミュート機能実行を中止することができる。
【００４５】
また、逆の手順として、映像ミュート機能を選択した旨の報知が行われている最中に押圧を解除することで映像ミュート機能を実行し、報知終了後に押圧を解除することで映像ミュート機能実行を中止することも考えられる方法である。
【００４６】
この場合、液晶パネル１０１にオンスクリーン表示された映像ミュートモードを実行しても良いかどうかの内容が所定時間表示されることで、ユーザーに対し、映像ミュートモードが設定されることを意識させることができる。
【００４７】
また、この場合、液晶パネル１０１にオンスクリーン表示された映像ミュートモードを実行しても良いかどうかの内容が所定時間表示される間に、次の操作が無ければ、映像ミュートモードを無効にすることも可能であり、これにより、映像ミュートモードを無効にするための操作を省くことができ、一度設定を予定したが設定途中で中止することも可能であり、操作性が向上する。
【００４８】
また、この場合、液晶パネル１０１にオンスクリーン表示された映像ミュートモードを実行しても良いかどうかの内容が所定時間表示される間に、次の操作が行われたとき、映像ミュートモードを無効にすることも可能であり、これにより、映像ミュートモードを無効にするための操作を即座に行うことができ、操作性が向上する。
【００４９】
また、この場合、液晶ＴＶ１００のＴＶ本体及び／又はリモコン２００により外部入力が選択されたとき、外部入力手段としての他の入力回路１１２からの入力が無い場合又はその入力回路１１２からの入力が音声入力の場合においても、上記のようにアンテナ入力時と同様に、映像ミュート機能を選択した旨の報知が行われた後に映像ミュート機能を実行させることが可能である。
【００５０】
また、本実施形態では、液晶パネル１０１に映像ミュートモードを実行しても良いかどうかを確認させる内容をオンスクリーン表示によって報知させる場合について説明したが、このようなオンスクリーン表示に限らず、信号音、音声、振動のいずれか又はいずれかの組み合わせにより報知させるようにしても良く、オンスクリーン表示による視覚確認、信号音や音声による聴覚確認、振動による体感確認のいずれか又はいずれかの組み合わせにより確認することができる。
【００５１】
なお、振動においては、たとえば液晶ＴＶ１００のＴＶ本体側の本体キー１１３又はリモコン２００の映像入／切ボタン２０４が一度押されたとき、映像ミュートモードを実行しても良いかどうかを確認させるために、それぞれの本体キー１１３又はリモコン２００の映像入／切ボタン２０４を振動させるようにしても良いし、リモコン２００にあってはリモコン２００自体を振動させるようにしても良い。
【００５２】
また、本実施形態では、マイコン１３４が映像ミュートモードを実行させるために、ビデオプロセッサ１３１に映像ミュート信号とバックライト１３８を消灯させるための制御信号を出力する場合について説明したが、この例に限らず、ＶＰＣ回路１３０に映像ミュート信号とバックライト１３８を消灯させるための制御信号とを出力しても良く、さらには入力切換回路１２６やＱＳ内蔵コントローラ１３２に映像ミュート信号とバックライト１３８を消灯させるための制御信号とを出力するようにしても良い。
【００５３】
また、マイコン１３４にあっては、液晶ＴＶ１００のメイン電源が切られた後も設定された映像ミュートモードを保持するかどうかの説明をしていないが、上述した誤操作を防止する意味でメイン電源が切られた後は設定された映像ミュートモードをクリアーすることが好ましい。
【００５４】
また、映像ミュート設定手段としての映像入／切ボタン２０４をリモコン２００側に設けた場合について説明したが、この例に限らず、その映像入／切ボタン２０４を液晶ＴＶ１００のＴＶ本体側に設けても良いことは勿論である。
【００５５】
また、映像ミュート設定手段としての映像入／切ボタン２０４が、リモコン２００側及び液晶ＴＶ１００のＴＶ本体側に設けられていない場合には、所定のメニュー項目を液晶パネル１０１等に表示させ、そのメニュー項目から映像ミュート機能を実行させるようにすることも可能である。
【００５６】
また、マイコン１３４を液晶ＴＶ１００のＴＶ本体側に設けた場合について説明したが、この例に限らず、そのマイコン１３４をリモコン２００側に設けても良いことは勿論である。
【００５７】
また、リモコン２００側に小さなモニター画面を設け、上述した各種オンスクリーン表示の内容を、そのモニター画面に表示させることで、手元操作ができ、より操作性を高めることも可能である。
【産業上の利用可能性】
【００５８】
液晶パネルを有するディスプレイ装置に限らず、発光ダイオード（ＬＥＤ）、蛍光表示管（ＶＦＤ）、プラズマディスプレイ（ＰＤＰ）、エレクトロルミネッセンス（ＥＬ）によって映像を表示する他のディスプレイ装置に適用可能である。この場合、たとえば映像信号に応じた駆動電圧制御により、映像ミュート機能を実行させることが可能となる。
【図面の簡単な説明】
【００５９】
【図１】本発明のディスプレイ装置の一実施の形態に適用される液晶ＴＶを示す斜視図である。
【図２】図１の液晶ＴＶを操作するリモコンを示す正面図である。
【図３】図１の液晶ＴＶのＴＶ本体の内部構成の概要を示すブロック図である。
【図４】図２のリモコンによって操作される図１の液晶ＴＶの動作を説明するためのフローチャートである。
【図５】図２のリモコンによって操作される図１の液晶ＴＶの動作を説明するためのフローチャートである。
【図６】図２のリモコンによって操作される図１の液晶ＴＶの動作を説明するための図である。
【図７】図２のリモコンによって操作される図１の液晶ＴＶの動作を説明するための図である。
【図８】図２のリモコンによって操作される図１の液晶ＴＶの動作を説明するための図である。
【符号の説明】
【００６０】
１００  液晶ＴＶ
１０１  液晶パネル
１０２  明るさセンサ
１０３  リモコン受光部
１０４  電源ランプ
１０５  オンタイマーランプ
１０６  ヘッドホン端子
１０７  スピーカー
１０８  バスレフポート
１０９  ヘッドホン
１１２  入力回路
１１３  本体キー
１２０  チューナー回路
１２１  音声アンプ
１２３  音声多重回路
１２６  入力切換回路
１３０  ＶＰＣ回路
１３１  ビデオプロセッサ
１３２  ＱＳ内蔵コントローラ
１３４  マイコン
１３５  インバータドライブトランジスタ
１３８  バックライト
２００  リモコン
２０１  電源ボタン
２０２  映像反転ボタン
２０３  バーチャルボタン
２０４  映像入／切ボタン
２０５  オフタイマー
２０６  オンタイマー
２０７  画面表示ボタン
２０８  映像ポジションボタン
２０９  明るさセンサボタン
２１０  カーソルボタン
２１１  決定ボタン
２１２  戻るボタン
２１３  メニューボタン
２１４  消音ボタン
２１５  音声切換ボタン
２１６  ＣＡＴＶボタン
２１７  入力切換ボタン
２１８  音量ボタン
２１９  選局ボタン
２２０  前画面ボタン
２２１  ダイレクト選局ボタン
２２２  ＢＳチャンネルボタン
【図１】
2005020725.tif 000003
【図２】
2005020725.tif 000004
【図３】
2005020725.tif 000005
【図４】
2005020725.tif 000006
【図５】
2005020725.tif 000007
【図６】
2005020725.tif 000008
【図７】
2005020725.tif 000009
【図８】
2005020725.tif 000010